(57)【要約】【課題】ユーザが自分好みの刺繍を施してオリジナルのバッグとする際に、バッグにおける刺繍の位置や大きさ、形状についての制約を減少して、刺繍デザインの自由度の高いバッグを提供する。【解決手段】バッグ本体１と、ユーザが刺繍を施すことが可能な生地で構成されて、前記バッグ本体１の外周面を巻いた状態でバッグ本体に着脱可能に装着される刺繍用シート２とを備える。望ましくは、刺繍用シートが装着された状態のバッグ本体１の略全面を覆う袋状の透明カバー３が装着される。【選択図】  図２
0003163121.tif 000002
【実用新案登録請求の範囲】
【請求項１】
バッグ本体と、
ユーザが刺繍を施すことが可能な生地で構成されて、前記バッグ本体の外周面を巻いた状態でバッグ本体に着脱可能に装着される刺繍用シートと、
を備えていることを特徴するバッグ。
【請求項２】
前記刺繍用シートが装着された状態のバッグ本体の略全面を覆う袋状の透明カバーが装着可能に構成されている請求項１に記載のバッグ。
【請求項３】
前記刺繍用シートは、前記バッグ本体の外周面を巻いた状態でその両端同志がファスナーにより連結されるように構成されている請求項１または２に記載のバッグ。
【請求項４】
前記刺繍用シートと透明カバーが、カバー止め用具を介してバッグ本体に連結されてなる請求項２または３に記載のバッグ。
【考案の詳細な説明】
【技術分野】
【０００１】
この考案は、刺繍で装飾可能な手提げバッグやショルダーバッグ等に適用されるバッグに関する。
【背景技術】
【０００２】
近年、例えば婦人用手提げバッグ等においては、ユーザが購入したものをそのまま使う他に、バッグ本体の外面にユーザが刺繍等の好みの加工を施して、ユーザのオリジナルのバッグとして使用する態様も増えつつある。
【０００３】
このような従来の手提げバッグとして、例えばバッグ本体の外面にワッペン装着部が設けられ、ユーザ自らが色々な図柄や模様の刺繍を施したワッペンを、前記ワッペン装着部に装着して使用できるようにしたものが知られている。
【０００４】
また、従来、バッグ本体の外面に文字印刷用の文字浮き出し部を設けたものが知られている（例えば、実用新案登録文献１参照）。
【先行技術文献】
【特許文献】
【０００５】
【特許文献１】登録実用新案第３１１６２１５号公報
【考案の概要】
【考案が解決しようとする課題】
【０００６】
ところが、ユーザが作成した刺繍付きワッペンをワッペン装着部に装着するタイプの従来のバッグでは、ワッペン装着部の位置及びワッペンの大きさが予め決められており、このためバッグ本体における刺繍の位置が限定されてしまうとともに、ユーザがワッペンに作成できる刺繍の大きさや形状もワッペンの大きさや形状によって制限され、自由度が乏しく、刺繍愛好家であるユーザにとっては、物足りなさ感がある。
【０００７】
また、実用新案登録文献１に記載された技術のように、バッグ本体に文字印刷部を設けたものでは、仮にカラー等で模様等を印刷したとしても、刺繍の模様とは違って華やかさが表せない。
【０００８】
この考案は、上記実情に鑑みてなされたものであり、ユーザが自分好みの刺繍を施してオリジナルのバッグとする際に、バッグにおける刺繍の位置や大きさ、形状についての制約を減少して、刺繍デザインの自由度の高いバッグを提供することを課題としている。
【課題を解決するための手段】
【０００９】
上記課題は、以下の手段によって解決される。
（１）バッグ本体と、ユーザが刺繍を施すことが可能な生地で構成されて、前記バッグ本体の外周面を巻いた状態でバッグ本体に着脱可能に装着される刺繍用シートと、を備えていることを特徴するバッグ。
（２）前記刺繍用シートが装着された状態のバッグ本体の略全面を覆う袋状の透明カバーが装着可能に構成されている前項１に記載のバッグ。
（３）前記刺繍用シートは、前記バッグ本体の外周面を巻いた状態でその両端同志がファスナーにより連結されるように構成されている前項１または２に記載のバッグ。
（４）前記刺繍用シートと透明カバーが、カバー止め用具を介してバッグ本体に連結されてなる前項２または３に記載のバッグ。
【考案の効果】
【００１０】
前項（１）に記載の発明によれば、ユーザが刺繍を施すことが可能な生地で構成された刺繍用シートが、バッグ本体の外周面を巻いた状態でバッグ本体に着脱可能に装着されるから、刺繍用シートの比較的広い面に自由に刺繍を施すことができるとともに、刺繍用シートにおける刺繍の位置、刺繍の大きさ、形状をユーザが任意に設定でき、このためバッグ本体に対して施される刺繍の位置や大きさ、形状についての制約を減少することができる。その結果、ユーザが採りうる刺繍デザインの自由度を大幅に高めることができ、ユーザの満足度の高い装飾性に優れたオリジナルなバッグを提供することが可能となる。
【００１１】
しかも、刺繍用シートはバッグ本体に着脱可能に装着されるから、１つのバッグ本体に対して異なる刺繍が施された刺繍用シートを装着することで、デザインの異なるバックを簡単に提供することができる。
【００１２】
前項（２）に記載の発明によれば、透明カバーでバッグ本体の略全面が覆われるので、前記刺繍用シートの刺繍が汚れるのを防止することができるとともに、バッグ本体の外周面に巻かれた状態の刺繍用シートのバック本体からの不用意な落下を防止することができる。
【００１３】
前項（３）に記載の発明によれば、該刺繍用シートの両端同志をファスナー連結することにより、刺繍用シートをバッグ本体の外周面を巻いた状態に容易に装着することができるうえ、バッグ本体の外周面を巻いた状態を安定的に保持することができる。
【００１４】
前項（４）に記載の発明によれば、刺繍用シートと透明カバーが、カバー止め用具を介してバッグ本体に連結されてなるから、刺繍用シートと透明カバーをバッグ本体に一体的に保持することができる。
【図面の簡単な説明】
【００１５】
【図１】この考案の一実施形態に係る手提げバッグを示す外観斜視図である。
【図２】同じく手提げバッグを示す分解斜視図である。
【図３】バッグ本体に対する刺繍用シートの装着操作の説明図である。
【図４】同じくバッグ本体に対する透明カバーの装着状況の説明図である。
【図５】透明カバーをバッグ本体に止める部分の説明図である。
【考案を実施するための形態】
【００１６】
以下、この考案の一実施形態を図面に基づいて説明する。
【００１７】
図１および図２は、それぞれこの考案の一実施形態に係る手提げバッグの外観斜視図および分解斜視図である。
【００１８】
図１および図２において、この手提げバッグＭは、バッグ本体１と、刺繍用シート２と、透明カバー３と、カバー止め用具４とを備えている。
【００１９】
前記バッグ本体１は、上面開放の籠形の物品収容部１１と、この物品収容部１１を把持するための一対の吊り手部１２，１２とを有している。
【００２０】
前記物品収容部１１は、例えば表生地が、例えばポリエステル等ないしは綿等からなり、また、裏生地が、例えばナイロン等からなり、前後方向で一定の幅を有している。
【００２１】
前記物品収容部１１における上端開口部１１ａは、例えば該物品収容部１１の左右方向へ沿ったスライドファスナー１４で開閉される蓋部１５で覆われている。なお、スライドファスナー１４の先端には、操作用のストラップ１４１が連結されている。
【００２２】
勿論、物品収容部１１における上端開口部１１ａは、蓋片１５を使わずに、直接、ファスナーやフック（ホック）等で閉じるように構成してもよい。
【００２３】
前記吊り手部１２，１２は、例えばポリエステルなどから紐状の半円形に形成されており、その各基端部は、それぞれ物品収容部１１の前後上端に縫い付けられることにより、それぞれ接続・固定されている。なお、吊り手部１２，１２の各基端部を環状リベット等を介してそれぞれ接続・固定しても良い。
【００２４】
勿論、バッグ本体１における物品収容部１１や吊り手部１２，１２の形状や生地等も、任意に変更可能である。
【００２５】
前記刺繍用シート２は、刺繍を施すことが容易な刺繍用生地、例えば天然素材のリネン等からなり、物品収容部１１の外周面を一巻きして覆う大きさの長方形に成形されている。なお、刺繍用シート２には、裏生地が設けられている。
【００２６】
この刺繍用シート２の長手方向の両端部には、上下方向へ沿ったスライドファスナー２１が設けられており、物品収容部１１の外周面を一巻きして覆った状態で前記両端同志をスライドファスナー２１を介して連結できるようになっている。勿論、スライドファスナー２１の代わりに刺繍用シート２の両端同志を雌雄の面ファスナーで接合したり、ホック等で連結することも可能である。
【００２７】
また、刺繍用シート２の上端部において、前記吊り手部１２，１２の各基端部にそれぞれ対応する位置には、例えば布紐からなる係合用ループ部２２，２２がそれぞれ取り付けられている。これら４つのループ状部２２，２２は、前記カバー止め具４が挿通可能な大きさに形成されている。
【００２８】
前記透明カバー３は、例えば塩化ビニール等から袋状に成形されたものであり、前記刺繍用シート２が装着されたバッグ本体１を底側から嵌め込むことができる大きさに成形されており、バッグ本体１における吊り手部１２，１２の各基端部にそれぞれ対応する位置には、前記カバー止め具４が挿通可能な環状リベット３１，３１が取付けられている。
【００２９】
前記カバー止め用具４は、例えば鎖状物からなり、その両端には、互いに係脱可能に係合する連結部（図示せず）が設けられている。そして、カバー止め用具４の一端を前記透明カバー３の環状リベット３１，３１及び刺繍用シート２のループ状部２２，２２に挿通し、バッグ本体１の吊り手部１２，１２に掛合させて、カバー止め用具４の他端に連結することで、透明カバー３、刺繍用シート２及びバッグ本体１を一体的に連結保持できるものとなされている。
【００３０】
つぎに、上記のように構成された手提げバッグＭの組み立て手順を説明する。
【００３１】
まず、ユーザは、前記刺繍用シート２を広げた状態で、その適所に好みの模様の刺繍２００（図１〜図３）を施す。刺繍用シート２は、天然素材のリネン等で構成されているので、刺繍作業に適しており、任意の模様等を容易に刺繍することができる。
【００３２】
ついで、刺繍２００を施した刺繍用シート２を図３に示すように、バッグ本体１の物品収容部１１の外周に巻き付ける。この時、該刺繍用シート２のループ状部２２，２２を、前記吊り手部１２，１２の基端部であるバッグ本体１への取付部の位置に合わせておく。
【００３３】
この状態で、前記刺繍用シート２における両端のスライドファスナー２１をスライド操作して図４に示すように止着すれば、刺繍２００が施こされた刺繍用シート２をバッグ本体１の物品収容部１１の外周面に巻き付けた状態に装着することができる。なお、バッグ本体１への装着前に、刺繍用シート２における両端のスライドファスナー２１を止着して刺繍用シート２を筒状とし、この筒状の刺繍用シート２をバッグ本体１の物品収容部１１の外周面に嵌め込んで装着しても良い。
【００３４】
この後、図４に示すように、バッグ本体１の底側から前記透明カバー３を挿入して該透明カバー３でバッグ本体１と刺繍用シート２とを覆う。
【００３５】
この状態で前記カバー止め用具４の一端を、図５に示すように前記透明カバー３の環状リベット３１，３１と、刺繍用シート２のループ状部２２，２２に挿通し、バッグ本体１の吊り手部１２、１２の基端部に掛合したのち、各カバー止め用具４の両端同志を係合させれば、透明カバー３、刺繍用シート２をバッグ本体１に対して脱落のおそれのない状態で一体的に保持させておくことができる。
【００３６】
この透明カバー３を装着することにより、バッグＭの使用時に刺繍２００が汚れたりするのが防止される。また、透明カバー３により刺繍用シート２がバッグ本体１から不用意に脱落するのも防止される。
【００３７】
ところで、前記刺繍用シート２は、バッグ本体１の物品収容部１１に対して着脱可能であるので、ユーザは、別の刺繍用シートを用意しておけば、それに別の刺繍を施して今までの刺繍用シート２と交換することも可能である。
【００３８】
また、前記刺繍用シート２の両端同士がスライドファスナーにより連結されるものとしたが、面ファスナーを介して連結されても良いし、ホック等により連結される構成であっても良い。また、前記刺繍用シート２の両端同士を固定することなく、バッグ本体１の物品収容部１１の外周面に、例えば面ファスナー等を介して着脱可能に張り付けるようにしてもよい。
【００３９】
また、この実施形態では、カバー止め用具４として、透明カバー３の環状リベット３１，３１や刺繍用シート２のループ状部２２，２２に挿通される鎖状物を使った例で説明したが、このような鎖状物４に限定されるものではない。
【００４０】
例えば、前記吊り手部１２，１２の基端側にフック部材を設け、この吊り手部１２，１２の基端側をバッグ本体１に対してフック部材を介して着脱可能に取付けるようにしたものでは、このフック部材で止め用具を兼務させて前記透明カバー３等を止めるように構成することが可能である。
【００４１】
また、上記構成のバッグＭは、ペットボトル収容袋等の各種容器収容袋にも適用可能である。
【符号の説明】
【００４２】
１  バッグ本体
２  刺繍用シート
３  透明カバー
４  カバー止め用具
２１  ファスナー
２００  刺繍
Ｍ  バッグ
【図１】
0003163121.tif 000003
【図２】
0003163121.tif 000004
【図３】
0003163121.tif 000005
【図４】
0003163121.tif 000006
【図５】
0003163121.tif 000007